(57)【要約】【課題】使用者固有情報の第三者への流出を防止した携帯端末システムの制御方法、携帯端末システムの制御システム、及び携帯端末を提供する。【解決手段】一方の携帯端末から使用者固有情報を他方の携帯端末に一次配布する際に、一方の携帯端末の使用者のＳＩＭ情報が付加されていると使用者固有情報の他方の携帯端末から他の携帯端末への二次配布を禁止することにより、一方の携帯端末の使用者のＳＩＭ情報をもたない第三者の携帯端末に他方の携帯端末から使用者固有情報を配布しようとしても送信できないので、一方の携帯端末と他方の携帯端末との間の使用者固有情報の第三者への配布が防止できる。【選択図】図１
2009033531.tif 000002
【特許請求の範囲】
【請求項１】
各使用者のＳＩＭ情報を格納したＳＩＭカードを内蔵した携帯端末と、前記各携帯端末の使用者固有情報を中継する基地局とを備えた携帯端末システムの制御方法において、
一方の携帯端末から使用者固有情報を、予め前記一方の携帯端末のＳＩＭ情報が登録された他方の携帯端末に一次配布する際に、前記一方の携帯端末の使用者のＳＩＭ情報が付加されていると前記使用者固有情報の前記他方の携帯端末から他の携帯端末への二次配布を禁止することを特徴とする携帯端末システムの制御方法。
【請求項２】
前記一方の携帯端末から更新された使用者固有情報が自動で前記他方の携帯端末に送信されることを特徴とする請求項１記載の携帯端末システムの制御方法。
【請求項３】
前記他方の携帯端末から前記一方の携帯端末の使用者固有情報を受信するという通知を送信することを特徴とする請求項１または２記載の携帯端末システムの制御方法。
【請求項４】
前記他方の携帯端末は、前記他方の携帯端末の使用者の使用者固有情報及び前記一方の携帯端末の使用者の使用者固有情報を記憶することを特徴とする請求項１から３のいずれか１項記載の携帯端末システムの制御方法。
【請求項５】
各使用者のＳＩＭ情報を格納したＳＩＭカードを内蔵した携帯端末と、前記各携帯端末の使用者固有情報を中継する基地局とを備えた携帯端末システムにおいて、
予め一方の携帯端末のＳＩＭ情報が登録され、前記一方の携帯端末の使用者固有情報を受信する通知を前記一方の携帯端末に送信する他方の携帯端末と、
更新された使用者固有情報を前記一方の携帯端末のＳＩＭ情報と共に前記他方の携帯端末に送信する一方の携帯端末とを備え、
前記他方の携帯端末は、前記一方の携帯端末の使用者固有情報を更新すると共に、前記一方の携帯端末の使用者固有情報と前記他方の携帯端末の使用者固有情報とを記憶し、他の携帯端末に前記使用者固有情報を送信する際に前記一方の携帯端末のＳＩＭ情報と他の携帯端末のＳＩＭ情報とを比較して一致する場合には送信を許可し一致しない場合には送信を禁止することを特徴とする携帯端末システム。
【請求項６】
前記一方の携帯端末から更新された使用者固有情報が自動で前記他方の携帯端末に送信されることを特徴とする請求項５記載の携帯端末システム。
【請求項７】
前記他方の携帯端末から前記一方の携帯端末の使用者固有情報を受信するという通知を送信することを特徴とする請求項５または６記載の携帯端末システム。
【請求項８】
前記他方の携帯端末は、前記他方の携帯端末の使用者の使用者固有情報及び前記一方の携帯端末の使用者の使用者固有情報を記憶することを特徴とする請求項５から７のいずれか１項記載の携帯端末システム。
【請求項９】
各使用者のＳＩＭ情報を格納したＳＩＭカードを内蔵した携帯端末と、前記各携帯端末の使用者固有情報を中継する基地局とを備えた携帯端末システムに用いられる携帯端末において、
前記携帯端末は、他の携帯端末のＳＩＭ情報を登録すると前記他の携帯端末に前記他の使用者固有情報を受信するという通知を送信し、前記他の携帯端末に自己のＳＩＭ情報が登録されると更新された自己の使用者固有情報を前記他の携帯端末に自動送信することを特徴とする携帯端末。
【発明の詳細な説明】
【技術分野】
【０００１】
本発明は、携帯端末システムの制御方法、携帯端末システム、及び携帯端末に関する。
【背景技術】
【０００２】
電子クーポン等の情報を使用者の端末に中継配布させてより広く伝搬させる情報配信方式（例えば、特許文献１参照）や、コンテンツの違法利用を制限する著作権管理を効率的に実行できると共に、正当な私的利用の自由度を高めることが可能なコンテンツ共有システム（例えば、特許文献２参照）や、電子クーポンの再配布による販売促進効果を維持しつつ、無制限な電子クーポンの再配布に伴うクーポンサービスの無制限な提供を防止すること（例えば、特許文献３参照）が提案されている。
【特許文献１】特開２００４−９４９１８号公報
【特許文献２】特開２００５−１４１６３５号公報
【特許文献３】特開２００７−７２９０６号公報
【発明の開示】
【発明が解決しようとする課題】
【０００３】
しかしながら、上述した技術を利用して携帯端末から他の携帯端末に使用者固有情報、例えばスケジュールデータを配布した場合、そのスケジュールデータが当事者から第三者へ流出するおそれがあり、当事者が管理するのには機密性が不十分であった。
そこで、本発明の目的は、使用者固有情報の第三者への流出を防止した携帯端末システムの制御方法、携帯端末システムの制御システム、及び携帯端末を提供することにある。
【課題を解決するための手段】
【０００４】
上記課題を解決するため、請求項１記載の発明は、各使用者のＳＩＭ情報を格納したＳＩＭカードを内蔵した携帯端末と、前記各携帯端末の使用者固有情報を中継する基地局とを備えた携帯端末システムの制御方法において、一方の携帯端末から使用者固有情報を、予め前記一方の携帯端末のＳＩＭ情報が登録された他方の携帯端末に一次配布する際に、前記一方の携帯端末の使用者のＳＩＭ情報が付加されていると前記使用者固有情報の前記他方の携帯端末から他の携帯端末への二次配布を禁止することを特徴とする。
【０００５】
請求項２記載の発明は、請求項１記載の発明において、前記一方の携帯端末から更新された使用者固有情報が自動で前記他方の携帯端末に送信されることを特徴とする。
【０００６】
請求項３記載の発明は、請求項１または２記載の発明において、前記他方の携帯端末から前記一方の携帯端末の使用者固有情報を受信するという通知を送信することを特徴とする。
【０００７】
請求項４記載の発明は、請求項１から３のいずれか１項記載の発明において、前記他方の携帯端末は、前記他方の携帯端末の使用者の使用者固有情報及び前記一方の携帯端末の使用者の使用者固有情報を記憶することを特徴とする。
【０００８】
請求項５記載の発明は、各使用者のＳＩＭ情報を格納したＳＩＭカードを内蔵した携帯端末と、前記各携帯端末の使用者固有情報を中継する基地局とを備えた携帯端末システムにおいて、予め一方の携帯端末のＳＩＭ情報が登録され、前記一方の携帯端末の使用者固有情報を受信する通知を前記一方の携帯端末に送信する他方の携帯端末と、更新された使用者固有情報を前記一方の携帯端末のＳＩＭ情報と共に前記他方の携帯端末に送信する一方の携帯端末とを備え、前記他方の携帯端末は、前記一方の携帯端末の使用者固有情報を更新すると共に、前記一方の携帯端末の使用者固有情報と前記他方の携帯端末の使用者固有情報とを記憶し、他の携帯端末に前記使用者固有情報を送信する際に前記一方の携帯端末のＳＩＭ情報と他の携帯端末のＳＩＭ情報とを比較して一致する場合には送信を許可し一致しない場合には送信を禁止することを特徴とする。
【０００９】
請求項６記載の発明は、請求項５記載の発明において、前記一方の携帯端末から更新された使用者固有情報が自動で前記他方の携帯端末に送信されることを特徴とする。
【００１０】
請求項７記載の発明は、請求項５または６記載の発明において、前記他方の携帯端末から前記一方の携帯端末の使用者固有情報を受信するという通知を送信することを特徴とする。
【００１１】
請求項８記載の発明は、請求項５から７のいずれか１項記載の発明において、前記他方の携帯端末は、前記他方の携帯端末の使用者の使用者固有情報及び前記一方の携帯端末の使用者の使用者固有情報を記憶することを特徴とする。
【００１２】
請求項９記載の発明は、各使用者のＳＩＭ情報を格納したＳＩＭカードを内蔵した携帯端末と、前記各携帯端末の使用者固有情報を中継する基地局とを備えた携帯端末システムに用いられる携帯端末において、前記携帯端末は、他の携帯端末のＳＩＭ情報を登録すると前記他の携帯端末に前記他の使用者固有情報を受信するという通知を送信し、前記他の携帯端末に自己のＳＩＭ情報が登録されると更新された自己の使用者固有情報を前記他の携帯端末に自動送信することを特徴とする。
【発明の効果】
【００１３】
本発明によれば、一方の携帯端末から使用者固有情報を他方の携帯端末に一次配布する際に、一方の携帯端末の使用者のＳＩＭ情報が付加されていると使用者固有情報の他方の携帯端末から他の携帯端末への二次配布を禁止することにより、一方の携帯端末の使用者のＳＩＭ情報をもたない第三者の携帯端末に他方の携帯端末から使用者固有情報を配布しようとしても送信できないので、一方の携帯端末と他方の携帯端末との間の使用者固有情報の第三者への配布が防止できる。
【発明を実施するための最良の形態】
【００１４】
本発明に係る携帯端末システムの制御方法の一実施の形態は、各使用者のＳＩＭ情報を格納したＳＩＭカードを内蔵した携帯端末と、各携帯端末の使用者固有情報を中継する基地局とを備えた携帯端末システムの制御方法において、一方の携帯端末から使用者固有情報を、予め一方の携帯端末のＳＩＭ情報が登録された他方の携帯端末に一次配布する際に、一方の携帯端末の使用者のＳＩＭ情報が付加されていると使用者固有情報の他方の携帯端末から他の携帯端末への二次配布を禁止することを特徴とする。
ここで、使用者固有情報とは、携帯端末の使用者（所有者）のスケジュール、企画（アイデアを含む）、生産管理情報、職場関係画像等の業務情報、本人画像、家族画像、住宅画像、車両画像等のプライバシーに関する情報が含まれる。
ＳＩＭ情報を格納したとはＳＩＭカードを装着したということを意味する。
【００１５】
上記構成によれば、一方の携帯端末から使用者固有情報を、予め一方の携帯端末のＳＩＭ情報が登録された他方の携帯端末に一次配布する際に、一方の携帯端末の使用者のＳＩＭ情報が付加されていると使用者固有情報の他方の携帯端末から他の携帯端末への二次配布を禁止することにより、一方の携帯端末の使用者のＳＩＭ情報をもたない第三者の携帯端末に他方の携帯端末から使用者固有情報を配布しようとしても送信できないので、一方の携帯端末と他方の携帯端末との間の使用者固有情報の第三者への配布が防止できる。
また、上記構成によれば、二次配布不可のスケジュールデータを受け渡すことで、機密性の高いスケジュール管理をすることができる。
【００１６】
本発明に係る携帯端末システムの制御方法の他の実施の形態は、上記構成に加え、一方の携帯端末から更新された使用者固有情報が自動で他方の携帯端末に送信されることを特徴とする。
【００１７】
上記構成によれば、更新された使用者固有情報が自動で送信されるので、便利である。
【００１８】
本発明に係る携帯端末システムの制御方法の他の実施の形態は、上記構成に加え、他方の携帯端末から一方の携帯端末の使用者固有情報を受信するという通知を送信することを特徴とする。
【００１９】
上記構成によれば、他方の携帯端末から一方の携帯端末の使用者固有情報を受信するという通知を送信するので、一方の携帯端末の使用者は安心して他方の携帯端末に使用者固有情報を送信することができる。
【００２０】
本発明に係る携帯端末システムの制御方法の他の実施の形態は、上記構成に加え、他方の携帯端末は、他方の携帯端末の使用者の使用者固有情報及び一方の携帯端末の使用者の使用者固有情報を記憶することを特徴とする。
【００２１】
上記構成によれば、他方の携帯端末は、他方の携帯端末の使用者の使用者固有情報及び一方の携帯端末の使用者の使用者固有情報を記憶することにより、自己及び他者の使用者固有情報を管理することができる。
【００２２】
本発明に係る携帯端末システムの一実施の形態は、各使用者のＳＩＭ情報を格納したＳＩＭカードを内蔵した携帯端末と、各携帯端末の使用者固有情報を中継する基地局とを備えた携帯端末システムにおいて、  予め一方の携帯端末のＳＩＭ情報が登録され、一方の携帯端末の使用者固有情報を受信する通知を一方の携帯端末に送信する他方の携帯端末と、更新された使用者固有情報を記一方の携帯端末のＳＩＭ情報と共に他方の携帯端末に送信する一方の携帯端末とを備え、他方の携帯端末は、一方の携帯端末の使用者固有情報を更新すると共に、一方の携帯端末の使用者固有情報と他方の携帯端末の使用者固有情報とを記憶し、他の携帯端末に使用者固有情報を送信する際に一方の携帯端末のＳＩＭ情報と他の携帯端末のＳＩＭ情報とを比較して一致する場合には送信を許可し一致しない場合には送信を禁止することを特徴とする。
【００２３】
上記構成によれば、一方の携帯端末から使用者固有情報を、予め一方の携帯端末のＳＩＭ情報が登録された他方の携帯端末に一次配布する際に、一方の携帯端末の使用者のＳＩＭ情報が付加されていると使用者固有情報の他方の携帯端末から他の携帯端末への二次配布を禁止することにより、一方の携帯端末の使用者のＳＩＭ情報をもたない第三者の携帯端末に他方の携帯端末から使用者固有情報を配布しようとしても送信できないので、一方の携帯端末と他方の携帯端末との間の使用者固有情報の第三者への配布が防止できる。
また、上記構成によれば、二次配布不可のスケジュールデータを受け渡すことで、機密性の高いスケジュール管理をすることができる。
【００２４】
本発明に係る携帯端末システムの他の実施の形態は、上記構成に加え、一方の携帯端末から更新された使用者固有情報が自動で他方の携帯端末に送信されることを特徴とする。
【００２５】
上記構成によれば、上記効果に加え、更新された使用者固有情報が自動で送信されるので、便利である。
【００２６】
本発明に係る携帯端末システムの他の実施の形態は、上記構成に加え、他方の携帯端末から一方の携帯端末の使用者固有情報を受信するという通知を送信することを特徴とする。
【００２７】
上記構成によれば、他方の携帯端末から一方の携帯端末の使用者固有情報を受信するという通知を送信するので、一方の携帯端末の使用者は安心して他方の携帯端末に使用者固有情報を送信することができる。
【００２８】
本発明に係る携帯端末システムの他の実施の形態は、上記構成に加え、他方の携帯端末は、他方の携帯端末の使用者の使用者固有情報及び一方の携帯端末の使用者の使用者固有情報を記憶することを特徴とする。
【００２９】
上記構成によれば、他方の携帯端末は、他方の携帯端末の使用者の使用者固有情報及び一方の携帯端末の使用者の使用者固有情報を記憶することにより、自己及び他者の使用者固有情報を管理することができる。
【００３０】
本発明に係る携帯端末の一実施の形態は、各使用者のＳＩＭ情報を格納したＳＩＭカードを内蔵した携帯端末と、各携帯端末の使用者固有情報を中継する基地局とを備えた携帯端末システムに用いられる携帯端末において、携帯端末は、他の携帯端末のＳＩＭ情報を登録すると他の携帯端末に他の使用者固有情報を受信するという通知を送信し、他の携帯端末に自己のＳＩＭ情報が登録されると更新された自己の使用者固有情報を他の携帯端末に自動送信することを特徴とする。
【００３１】
上記構成によれば、他者の携帯端末のＳＩＭ情報を登録すると他者の携帯端末に他者の使用者固有情報を受信するという通知を送信し、他者の携帯端末に自己のＳＩＭ情報が登録されると更新された自己の使用者固有情報を自動送信することにより、ＳＩＭ情報を登録するだけで、使用者固有情報の第三者への流出を防止することができる。
【００３２】
なお、上述した実施の形態は、本発明の好適な実施の形態の一例を示すものであり、本発明はそれに限定されることなく、その要旨を逸脱しない範囲内において、種々変形実施が可能である。
【実施例】
【００３３】
以下、本発明の実施例について説明する。
図１は本発明に係る携帯端末システムの制御方法の概念図である。図２は本発明に係る携帯端末システムのブロック図の一例である。図３は本発明に係る携帯端末システムの制御方法を適用した携帯端末システムの一実施例を示す概念図である。図４は図２示した携帯端末システムに用いられる携帯端末の制御フローチャートの一例である。
本実施例では使用者固有情報としてスケジュールデータの場合で説明する。
本実施例の特徴は、図１に示すように受け渡すスケジュールデータに対して、一方の携帯端末としての携帯電話１０−１の使用者固有情報を付加して他方の携帯端末としての携帯電話１０−２に一次配布し、携帯電話１０−２は使用者固有の情報を受け取ると共に認証を行うことで他の携帯電話１０−３への再配布の規制を行い二次配布を防ぐ点にある。
〔実施例の構成〕
【００３４】
図２に示すように他方の携帯端末としての携帯電話１０−２は、主にアンテナ１１と、電波を受発信する無線高周波部１２と、音声信号を処理し、通信手順の制御を行うベースバンド部１９と、ＳＩＭ２情報を有するＳＩＭカード３０−２とで構成されている。
無線高周波部１２は受信アナログ部１３と、送受信切替１４と、送信アナログ部１５とで構成されている。
受信アナログ部１３は、主に局部発振回路、ＬＮＡ（Low Noise Amplifier：低雑音増幅器）、及びミキサ、ＩＦ（中間周波数）アンプで構成されている。
送信アナログ部１５は、主にＩＦ変調、ミキサ、パワーアンプで構成されている。
【００３５】
ベースバンド部１９は、ＣＰＵ（Central Processing Unit：中央演算処理装置）２０、ＤＳＰ（Digital Signal Processor）２１、モデム２２、ＡＤ／ＤＡコンバータ２３で構成されている。ベースバンド部１９には画像処理部１８、メモリ２４、スピーカ２７、マイクロフォン２８、キー２９、及びＳＩＭカード３０−２が接続されている。
メモリ２４はフラッシュメモリ２５及びＳＲＡＭ２６からなる。画像処理部１８にはカメラ１６及びＬＣＤ１７が接続されている。
【００３６】
ここで、ＳＩＭカード３０−２は、他の一般的なＩＣカードと同様にクレジットカードサイズで発行されるが、ＩＣチップの部分（台形形状）だけを切り離して使用するようになっている。
ＳＩＭカード３０−２にはＩＭＳ（International Mobile Subscriber Identity）と呼ばれる固有の番号が付与されており、このＩＭＳと携帯電話１０−２の電話番号とを結びつけることにより、他の携帯電話との通信を可能とするようになっている。
【００３７】
このＳＩＭカード３０−２を携帯電話１０−２から抜き差しすることで、電話番号を他の携帯電話に移したり、１つの携帯電話で複数の電話番号を切り替えて使用したりすることができる。
但し、ＳＩＭカード３０−２は頻繁に抜き差しすることを想定したものではなく、抜き差しの前に確実に電源を切るために携帯電話の電源をオフにする必要がある。そのため、多くの携帯電話では、バッテリーを取り外さないとＳＩＭカードの抜き差しができない構造となっている。
【００３８】
このようなＳＩＭカード３０−２を有する構造と同一構造の携帯電話１０−１、１０−３〜１０−ｎが基地局４０を介して通話データやメールデータや画像データ等が中継されるようになっている。
【００３９】
次に、本発明に係る携帯端末システムの実施例の構成について図面を参照して詳細に説明する。
図３を参照すると、スケジュールを管理する携帯電話２（１０−２）と、その携帯電話２（１０−２）に挿入されているＳＩＭカードＳＩＭ２（３０−２）と、携帯電話２（１０−２）にスケジュールを管理される携帯電話１（１０−１）と、その携帯電話１（１０−１）に挿入されているＳＩＭカードＳＩＭ１（３０−１）と、ＳＩＭカードＳＩＭ１（３０−１）を特定する情報であるＳＩＭ情報１と、受け取ったスケジュールを保存する携帯電話２（１０−２）のメモリ２５（図２）と、管理する、されるに関係しない携帯電話３（１０−３：図２）とで構成される。
【００４０】
これらの携帯電話１（１０−１）〜携帯電話３（１０−３）はそれぞれの概略として図３に示すように動作する。
携帯電話１（１０−１）はスケジュールが更新されスケジュールデータをメールで送信する。
ＳＩＭカードＳＩＭ１（３０−１）は携帯電話１（１０−１）に挿入されており、携帯電話１（１０−１）の使用者を特定するための携帯番号情報を所有する。
ＳＩＭ情報１はＳＩＭカードＳＩＭ１（３０−１）を特定する情報であり、スケジュール情報を送信するときに使用者固有情報に付加される。
携帯電話２（１０−２）は複数の携帯電話１０からスケジュールデータを受け取りそれぞれ管理する。
ＳＩＭカードＳＩＭ２（３０−２）は携帯電話２（１０−２）に挿入されており、携帯電話２（１０−２）の使用者を特定するための携帯番号情報を所有する。
携帯電話２（１０−２）のメモリ２４は携帯電話２（１０−２）が受け取ったスケジュールデータを保存する。
携帯電話３（１０−３）は、携帯電話２（１０−２）から二次配布を試みようとするができない。
【００４１】
〔実施例の動作の説明〕
次に、図４のフローチャートを参照して本発明の実施例の動作について詳細に説明する。
まず、前提条件として予め携帯電話２（１０−２）がＳＩＭ情報１を図示しないスケジューラに登録する（ステップＳ１）。この登録により、「以降ＳＩＭカードＳＩＭ１（３０−１）が装着された携帯電話１（１０−１）のスケジュールが更新されるごとにＳＩＭカードＳＩＭ２（３０−２）が装着された携帯電話２（１０−２）へ送信される」旨の通知が届く（ステップＳ２）。
携帯電話２（１０−２）はスケジュールが携帯電話１（１０−１）によって更新操作されるのを待つことになる（ステップＳ３）。
携帯電話２（１０−２）は、携帯電話１（１０−１）のスケジュールが更新されたか否かを判断し（ステップＳ４）、携帯電話１（１０−１）でスケジュールが更新されると（ステップＳ４／Ｙｅｓ）、自動的に携帯電話２（１０−２）へＳＩＭ情報１が付加されたスケジュールデータがメールで送信される（ステップＳ５）。
携帯電話２（１０−２）ではスケジュールデータが届くと最新情報に更新される（ステップＳ６）。
携帯電話２（１０−２）のメモリ２４では携帯電話２（１０−２）の所有者のスケジュールと他者のスケジュール（複数）とが保存され、携帯電話２（１０−２）で管理される。
【００４２】
スケジュールデータはＳＩＭ情報１が付加されており、携帯電話２（１０−２）にて送信操作中にＳＩＭ情報１とＳＩＭ２情報とを比較する（ステップＳ８）。
携帯電話２（１０−２）ではＳＩＭ１情報とＳＩＭ２情報とが合致するか否かを判断し（ステップＳ９）、ＳＩＭ１情報とＳＩＭ２情報とが合致した場合（ステップＳ９／Ｙｅｓ）、携帯電話１（１０−１）へ送信することができ手終了する。
ＳＩＭ１情報とＳＩＭ２情報とが合致しない場合（ステップＳ９／Ｎｏ）、送信不可能となり（ステップＳ１１）、ステップＳ８へ進む。すなわち、携帯電話２（１０−２）から携帯電話３（１０−３）に使用者固有情報を送信しようとしてもＳＩＭ情報が異なるので送信できず使用者固有情報の二次配布が防止される。尚、通常の通話やデータ通信は行うことができる。
以上において、本実施例によれば、一方の携帯端末から使用者固有情報を他方の携帯端末に一次配布する際に、一方の携帯端末の使用者のＳＩＭ情報が付加されていると使用者固有情報の他方の携帯端末から他の携帯端末への二次配布を禁止することにより、一方の携帯端末の使用者のＳＩＭ情報をもたない第三者の携帯端末に他方の携帯端末から使用者固有情報を配布しようとしても送信できないので、一方の携帯端末と他方の携帯端末との間の使用者固有情報の第三者への配布が防止できる。
【００４３】
〔効果の説明〕
第１の効果は、個人情報漏洩を防ぐことができることにある。その理由は、スケジュールデータに二次配布不可のためのＳＩＭ情報を付加できるためである。
第２の効果は、リアルタイムで他者の最新スケジュールを管理できることにある。その理由は、更新されたら自動的に最新スケジュールを送信できるためである。
【００４４】
尚、本実施例では使用者固有情報がスケジュールデータの場合で説明したが、本発明はこれに限定されず、使用者固有情報が画像データであっても顧客情報であってもよい。
【産業上の利用可能性】
【００４５】
本発明は携帯端末システムに利用できる。
【図面の簡単な説明】
【００４６】
【図１】本発明に係る携帯端末システムの制御方法の概念図である。
【図２】本発明に係る携帯端末システムのブロック図の一例である。
【図３】本発明に係る携帯端末システムの制御方法を適用した携帯端末システムの一実施例を示す概念図である。
【図４】図２示した携帯端末システムに用いられる携帯端末の制御フローチャートの一例である。
【符号の説明】
【００４７】
１０−１〜１０−ｎ    携帯端末
１１    アンテナ
１２    無線高周波部
１３    受信アナログ部
１４    送受信切替スイッチ
１５    送信アナログ部
１６    カメラ
１７    ＬＣＤ
１８    画像処理部
１９    ベースバンド部
２０    ＣＰＵ
２１    ＤＳＰ
２２    モデム
２３    ＡＤＣ／ＤＡＣ
２４    メモリ
２５    フラッシュメモリ
２６    ＳＲＡＭ
２７    スピーカ
２８    マイクロフォン
２９    キー
３０−１〜３０−ｎ    ＳＩＭカード
４０    基地局
【図１】
2009033531.tif 000003
【図２】
2009033531.tif 000004
【図３】
2009033531.tif 000005
【図４】
2009033531.tif 000006